(57)【特許請求の範囲】
【請求項１】
各々の面板を組み立て構成される紙製の箱体において、
矩形状の背面板（１１）と、
前記背面板（１１）の左辺及び右辺をそれぞれ折部（ｅ，ｅ）として該背面板に連接し、該背面板の高さよりも小さい幅を有する左右の側部額面板（ｐ，ｐ）と、
前記背面版（１１）と前記左右の側部額面板（ｐ，ｐ）との間の折部の一部を線分状に切り込んで形成された左右の挿入口（ｔ，ｔ）と、
前記左右の側部額面板（ｐ，ｐ）の背面板（１１）側とは反対側の辺を折部（ｇ，ｇ）としてそれぞれ該左右の側部額面板に連接し、前記背面板の高さよりも小さい幅を有する左右の折込片（１４，１４）と、
前記背面板（１１）の下辺を折部（ｆ）として該背面板に連接し、前記左右の側部額面板（ｐ，ｐ）の幅とほぼ同じ高さを有する底部額面板（ｍ）と、
前記底部額面板（ｍ）の下辺を折部（ｈ１）として該底部額面板に連接し、前記底部額面板の幅よりも小さい高さを有する第一の底面板（１３）と、
前記底部額面板（ｍ）と前記第一の底面板（１３）との間の折部の一部を線分状に切り込んで形成された第一の挿入口（ｔ１）と、
前記第一の底面板（１３）の下辺を折部（ｈ２）として該第一の底面板に連接し、前記第一の底面板の幅よりも小さい高さを有する第二の底面板（１３）と、
前記第一の底面板（１３）と前記第二の底面板（１３）との間の折部の一部を線分状に切り込んで形成された第二の挿入口（ｔ２）と、
前記背面板（１１）の上辺を折部として該背面板に連接し、前記左右の側部額面板（ｐ，ｐ）の幅とほぼ同じ高さを有する天部額面板（ｎ）と、
前記天部額面板（ｎ）の上辺を折部として該天部額面板に連接し、前記背面板（１１）の高さとほぼ同じ高さを有する蓋面板（１２）と、
前記蓋面板（１２）の上辺の一部を折部として該蓋面板に連接し、該蓋面板の幅よりも小さい幅及び該蓋面板の高さよりも小さい高さを有する差込片（Ｓ）と、
前記蓋面板（１２）の左辺及び右辺を折部（ｄ，ｄ）としてそれぞれ該蓋面板に連接し、該蓋面板の幅よりも小さい幅を有すると共に、その該蓋面板と連接する辺と、それに対向する辺とが平行でなく、当該両辺間の距離が前記背面板（１１）から遠い側において該背面板に近い側におけるよりも大きくされた、三角形に近似した形状の左右の側面板（１５，１５）と、
前記左右の側面板（１５，１５）の前記蓋面板（１２）と連接する辺と対向する辺の一部を折部としてそれぞれ該左右の側面板に連接し、該左右の側面板の最大幅よりも小さい幅及び該左右の側面板の高さよりも小さい高さを有する左右の側面板の差込片（Ｓ１，Ｓ１）と、
を具備して構成されており、
前記左右の側面板（１５，１５）を前記蓋面板（１２）との間の折部（ｄ，ｄ）で前記蓋面板上に折り込み、前記左右の側部額面板（ｐ，ｐ）を前記背面板（１１）との間の折部（ｅ，ｅ）で折り立てると共に前記左右の折込片（１４，１４）を前記左右の側部額面板（ｐ，ｐ）との間の折部（ｇ，ｇ）で前記背面板（１１）と対向するように折り込み、前記底部額面板（ｍ）を前記背面板（１１）との間の折部（ｆ）で折り立てると共に前記第一及び第二の底面板（１３，１３）を前記底部額面板（ｍ）と前記第一の底面板（１３）との間の折部（ｈ１）で前記背面板（１１）と対向するように折り込み、前記天部額面板（ｎ）を前記背面板（１１）との間の折部で折り立てると共に前記蓋面板（１２）を前記天部額面板（ｎ）との間の折部で前記背面板（１１）と対向するように折り込み、前記蓋面板（１２）の上辺に連接する差込片（Ｓ）を前記底部額面板（ｍ）と前記第一の底面板（１３）との間の前記第一の挿入口（ｔ１）に挿入することによって、前記左右の側部額面板（ｐ，ｐ）の幅にほぼ相当する厚さの直方体状に組み立て可能であると共に、
前記左右の側面板（１５，１５）を前記蓋面板（１２）との間の折部（ｄ，ｄ）で折り立て、前記左右の側部額面板（ｐ，ｐ）を前記背面板（１１）との間の折部（ｅ，ｅ）で折り立てると共に前記左右の折込片（１４，１４）を前記左右の側部額面板（ｐ，ｐ）との間の折部（ｇ，ｇ）で前記背面板（１１）と対向するように折り込み、前記底部額面板（ｍ）及び前記第一の底面板（１３）を前記背面板（１１）と前記底部額面板（ｍ）との間の折部（ｆ）で折り立てると共に前記第二の底面板（１３）を前記第一の底面板（１３）との間の折部（ｈ２）で前記背面板（１１）と対向するように折り込み、前記天部額面板（ｎ）を前記背面板（１１）との間の折部で折り立てると共に前記蓋面板（１２）を前記天部額面板（ｎ）との間の折部で前記背面板（１１）とほぼ対向するように折り込み、前記蓋面板（１２）の上辺に連接する差込片（Ｓ）を前記第一の底面板（１３）と前記第二の底面板（１３）との間の前記第二の挿入口（ｔ２）に挿入し、前記左右の側面板の差込片（Ｓ１，Ｓ１）を前記背面板（１１）と前記左右の側部額面板（ｐ，ｐ）との間の左右の挿入口（ｔ，ｔ）にそれぞれ挿入することによって、略三角形状に底部が広がった側面を備えた横倒し三角柱に近似した六面体形状に組み立て可能である
ことを特徴とする外装パッケージ兼用告知ボード。
【請求項２】
前記第二の底面板（１３）の下辺側に、直前の底面板の下辺を折部として該直前の底面板に連接し、該直前の底面板の幅よりも小さい高さを有する直後の底面板と、前記直前の底面板と前記直後の底面板との間の折部の一部を線分状に切り込んで形成された挿入口と、からなる組を１つ以上具備すると共に、
前記左右の側面板（１５，１５）の前記蓋面板（１２）側とは反対側に、直前の左右の側面板の前記蓋面板（１２）側とは反対側の辺（左右の折込片が連接した部分を除く）を折部としてそれぞれ該直前の左右の側面板に連接し、該蓋面板の幅よりも小さい幅を有すると共に、その該直前の左右の側面板と連接する辺と、それに対向する辺とが平行でなく、当該両辺間の距離が前記背面板（１１）から遠い側において該背面板に近い側におけるよりも大きくされた、三角形に近似した形状（前記直前の左右の側面板に連接した左右の折込片に相当する部分を除く）の直後の左右の側面板と、前記直後の左右の側面板の前記直前の左右の側面板と連接する辺と対向する辺の一部を折部としてそれぞれ該直前の左右の側面板に連接し、該直後の左右の側面板の最大幅よりも小さい幅及び該直後の左右の側面板の高さよりも小さい高さを有する直後の左右の側面板の差込片と、からなる組を１つ以上具備して構成されており、
前記左右の側面板（１５，１５）を前記蓋面板（１２）との間の折部（ｄ，ｄ）で折り立てると共に前記蓋面板（１２）に直接連接したもの以外の１つ以上の前記左右の側面板のいずれかをその直前の左右の側面板との間の折部で該直前の左右の側面板上に折り込むか、又は折り込まずに全ての左右の側面板を前記蓋面板（１２）から折り立て、前記左右の側部額面板（ｐ，ｐ）を前記背面板（１１）との間の折部（ｅ，ｅ）で折り立てると共に前記左右の折込片（１４，１４）を前記左右の側部額面板（ｐ，ｐ）との間の折部（ｇ，ｇ）で前記背面板（１１）と対向するように折り込み、前記底部額面板（ｍ）及び前記第一の底面板（１３）を前記背面板（１１）と前記底部額面板（ｍ）との間の折部（ｆ）で折り立てると共に前記第一の底面板（１３）よりも下方のいずれかの底面板をその直前の底面板との間の折部で前記背面板（１１）と対向するように折り込み、前記天部額面板（ｎ）を前記背面板（１１）との間の折部で折り立てると共に前記蓋面板（１２）を前記天部額面板（ｎ）との間の折部で前記背面板（１１）とほぼ対向するように折り込み、記蓋面板（１２）の上辺に連接する差込片（Ｓ）を前記背面板（１１）に対向するように折り込んだ底面板とその直前の底面板との間の挿入口に挿入し、前記直前の左右の側面板又は前記蓋面板（１２）の上に折り込まれていない最後の左右の側面板に連接する左右の差込片を前記背面板（１１）と前記左右の側部額面板（ｐ，ｐ）との間の左右の挿入口（ｔ，ｔ）にそれぞれ挿入することによって、前記折り込む左右の側面板及び底面板の選択に従い頂角の異なる複数種類の略三角形状に底部が広がった側面を備えた横倒し三角柱に近似した六面体形状に組み立て可能である
ことを特徴とする請求項１記載の外装パッケージ兼用告知ボード。
【発明の詳細な説明】
【０００１】
【発明の属する技術分野】
本発明は、使用場所に応じて最適の形状を適宜選択可能とした紙製の外装パッケージ兼用告知ボードに関するものである。
【０００２】
【従来の技術】
従来より、箱体状に構成して各種書類、商品や道具類などを収納可能とし、しかも宣伝広告等の掲示や記入可能としたボード等を備えた外装パッケージ兼用告知ボードが知られている。
これらは、例えば実開昭５９−７９８８０号公報により広告展示箱として、また実開平６−８２６７３号公報により持ち運び用黒板として提案されている。
【０００３】
【発明が解決しようとする課題】
しかしながら、前述したいずれの提案も大きさ、形状も予め決められた一定の箱体であり、その用途、使用場所に応じて形状や大きさを変えることはできなかった。そこで、本発明は上記の問題を解決するためになされたもので、その用途、使用場所に応じて最適な形状、すなわち、組み立て時に直方体から横倒し三角柱に近似した六面体（以下、説明の簡略化のため便宜上「四角錐」と称する場合がある）までの形状の変更を可能にした外装パッケージ兼用告知ボードを提供する。
【０００４】
【課題を解決するための手段】
上記目的を達成するために本発明は、各々の面板を組み立て構成される紙製の箱体において、矩形状の背面板（１１）と、前記背面板（１１）の左辺及び右辺をそれぞれ折部（ｅ，ｅ）として該背面板に連接し、該背面板の高さよりも小さい幅を有する左右の側部額面板（ｐ，ｐ）と、前記背面版（１１）と前記左右の側部額面板（ｐ，ｐ）との間の折部の一部を線分状に切り込んで形成された左右の挿入口（ｔ，ｔ）と、前記左右の側部額面板（ｐ，ｐ）の背面板（１１）側とは反対側の辺を折部（ｇ，ｇ）としてそれぞれ該左右の側部額面板に連接し、前記背面板の高さよりも小さい幅を有する左右の折込片（１４，１４）と、前記背面板（１１）の下辺を折部（ｆ）として該背面板に連接し、前記左右の側部額面板（ｐ，ｐ）の幅とほぼ同じ高さを有する底部額面板（ｍ）と、前記底部額面板（ｍ）の下辺を折部（ｈ１）として該底部額面板に連接し、前記底部額面板の幅よりも小さい高さを有する第一の底面板（１３）と、前記底部額面板（ｍ）と前記第一の底面板（１３）との間の折部の一部を線分状に切り込んで形成された第一の挿入口（ｔ１）と、前記第一の底面板（１３）の下辺を折部（ｈ２）として該第一の底面板に連接し、前記第一の底面板の幅よりも小さい高さを有する第二の底面板（１３）と、前記第一の底面板（１３）と前記第二の底面板（１３）との間の折部の一部を線分状に切り込んで形成された第二の挿入口（ｔ２）と、前記背面板（１１）の上辺を折部として該背面板に連接し、前記左右の側部額面板（ｐ，ｐ）の幅とほぼ同じ高さを有する天部額面板（ｎ）と、前記天部額面板（ｎ）の上辺を折部として該天部額面板に連接し、前記背面板（１１）の高さとほぼ同じ高さを有する蓋面板（１２）と、前記蓋面板（１２）の上辺の一部を折部として該蓋面板に連接し、該蓋面板の幅よりも小さい幅及び該蓋面板の高さよりも小さい高さを有する差込片（Ｓ）と、前記蓋面板（１２）の左辺及び右辺を折部（ｄ，ｄ）としてそれぞれ該蓋面板に連接し、該蓋面板の幅よりも小さい幅を有すると共に、その該蓋面板と連接する辺と、それに対向する辺とが平行でなく、当該両辺間の距離が前記背面板（１１）から遠い側において該背面板に近い側におけるよりも大きくされた、三角形に近似した形状の左右の側面板（１５，１５）と、前記左右の側面板（１５，１５）の前記蓋面板（１２）と連接する辺と対向する辺の一部を折部としてそれぞれ該左右の側面板に連接し、該左右の側面板の最大幅よりも小さい幅及び該左右の側面板の高さよりも小さい高さを有する左右の側面板の差込片（Ｓ１，Ｓ１）と、を具備して構成されており、前記左右の側面板（１５，１５）を前記蓋面板（１２）との間の折部（ｄ，ｄ）で前記蓋面板上に折り込み、前記左右の側部額面板（ｐ，ｐ）を前記背面板（１１）との間の折部（ｅ，ｅ）で折り立てると共に前記左右の折込片（１４，１４）を前記左右の側部額面板（ｐ，ｐ）との間の折部（ｇ，ｇ）で前記背面板（１１）と対向するように折り込み、前記底部額面板（ｍ）を前記背面板（１１）との間の折部（ｆ）で折り立てると共に前記第一及び第二の底面板（１３，１３）を前記底部額面板（ｍ）と前記第一の底面板（１３）との間の折部（ｈ１）で前記背面板（１１）と対向するように折り込み、前記天部額面板（ｎ）を前記背面板（１１）との間の折部で折り立てると共に前記蓋面板（１２）を前記天部額面板（ｎ）との間の折部で前記背面板（１１）と対向するように折り込み、前記蓋面板（１２）の上辺に連接する差込片（Ｓ）を前記底部額面板（ｍ）と前記第一の底面板（１３）との間の前記第一の挿入口（ｔ１）に挿入することによって、前記左右の側部額面板（ｐ，ｐ）の幅にほぼ相当する厚さの直方体状に組み立て可能であると共に、前記左右の側面板（１５，１５）を前記蓋面板（１２）との間の折部（ｄ，ｄ）で折り立て、前記左右の側部額面板（ｐ，ｐ）を前記背面板（１１）との間の折部（ｅ，ｅ）で折り立てると共に前記左右の折込片（１４，１４）を前記左右の側部額面板（ｐ，ｐ）との間の折部（ｇ，ｇ）で前記背面板（１１）と対向するように折り込み、前記底部額面板（ｍ）及び前記第一の底面板（１３）を前記背面板（１１）と前記底部額面板（ｍ）との間の折部（ｆ）で折り立てると共に前記第二の底面板（１３）を前記第一の底面板（１３）との間の折部（ｈ２）で前記背面板（１１）と対向するように折り込み、前記天部額面板（ｎ）を前記背面板（１１）との間の折部で折り立てると共に前記蓋面板（１２）を前記天部額面板（ｎ）との間の折部で前記背面板（１１）とほぼ対向するように折り込み、前記蓋面板（１２）の上辺に連接する差込片（Ｓ）を前記第一の底面板（１３）と前記第二の底面板（１３）との間の前記第二の挿入口（ｔ２）に挿入し、前記左右の側面板の差込片（Ｓ１，Ｓ１）を前記背面板（１１）と前記左右の側部額面板（ｐ，ｐ）との間の左右の挿入口（ｔ，ｔ）にそれぞれ挿入することによって、略三角形状に底部が広がった側面を備えた横倒し三角柱に近似した六面体形状に組み立て可能であることを特徴とする外装パッケージ兼用告知ボードを提供するものである。
【０００５】
また本発明は、前記第二の底面板（１３）の下辺側に、直前の底面板の下辺を折部として該直前の底面板に連接し、該直前の底面板の幅よりも小さい高さを有する直後の底面板と、前記直前の底面板と前記直後の底面板との間の折部の一部を線分状に切り込んで形成された挿入口と、からなる組を１つ以上具備すると共に、前記左右の側面板（１５，１５）の前記蓋面板（１２）側とは反対側に、直前の左右の側面板の前記蓋面板（１２）側とは反対側の辺（左右の折込片が連接した部分を除く）を折部としてそれぞれ該直前の左右の側面板に連接し、該蓋面板の幅よりも小さい幅を有すると共に、その該直前の左右の側面板と連接する辺と、それに対向する辺とが平行でなく、当該両辺間の距離が前記背面板（１１）から遠い側において該背面板に近い側におけるよりも大きくされた、三角形に近似した形状（前記直前の左右の側面板に連接した左右の折込片に相当する部分を除く）の直後の左右の側面板と、前記直後の左右の側面板の前記直前の左右の側面板と連接する辺と対向する辺の一部を折部としてそれぞれ該直前の左右の側面板に連接し、該直後の左右の側面板の最大幅よりも小さい幅及び該直後の左右の側面板の高さよりも小さい高さを有する直後の左右の側面板の差込片と、からなる組を１つ以上具備して構成されており、前記左右の側面板（１５，１５）を前記蓋面板（１２）との間の折部（ｄ，ｄ）で折り立てると共に前記蓋面板（１２）に直接連接したもの以外の１つ以上の前記左右の側面板のいずれかをその直前の左右の側面板との間の折部で該直前の左右の側面板上に折り込むか、又は折り込まずに全ての左右の側面板を前記蓋面板（１２）から折り立て、前記左右の側部額面板（ｐ，ｐ）を前記背面板（１１）との間の折部（ｅ，ｅ）で折り立てると共に前記左右の折込片（１４，１４）を前記左右の側部額面板（ｐ，ｐ）との間の折部（ｇ，ｇ）で前記背面板（１１）と対向するように折り込み、前記底部額面板（ｍ）及び前記第一の底面板（１３）を前記背面板（１１）と前記底部額面板（ｍ）との間の折部（ｆ）で折り立てると共に前記第一の底面板（１３）よりも下方のいずれかの底面板をその直前の底面板との間の折部で前記背面板（１１）と対向するように折り込み、前記天部額面板（ｎ）を前記背面板（１１）との間の折部で折り立てると共に前記蓋面板（１２）を前記天部額面板（ｎ）との間の折部で前記背面板（１１）とほぼ対向するように折り込み、記蓋面板（１２）の上辺に連接する差込片（Ｓ）を前記背面板（１１）に対向するように折り込んだ底面板とその直前の底面板との間の挿入口に挿入し、前記直前の左右の側面板又は前記蓋面板（１２）の上に折り込まれていない最後の左右の側面板に連接する左右の差込片を前記背面板（１１）と前記左右の側部額面板（ｐ，ｐ）との間の左右の挿入口（ｔ，ｔ）にそれぞれ挿入することによって、前記折り込む左右の側面板及び底面板の選択に従い頂角の異なる複数種類の略三角形状に底部が広がった側面を備えた横倒し三角柱に近似した六面体形状に組み立て可能であることを特徴とするものである。これは、組み立て時に底部を構成する面板の幅を、適宜変更可能にし、また、その変更に応じて変化する側部構成面の大きさ、形状も適宜変更可能としたもので、前記底部を構成する面板の幅、側部構成面の大きさや形状を変更する手段が、予め設けた複数本の折部で行うものである。
【０００８】
【発明の実施の形態】
以下、図に基づき本発明の実施の形態を詳細に説明する。
図１は、本発明の一実施例における外装パッケージ兼用告知ボードの平面図である。図に示すように、本発明の外装パッケージ兼用告知ボードは、挿入口ｔ，ｔを設けた背面板１１の左右に側部額面板ｐ，ｐを介して折込片１４，１４を連設し、この上部に吊り下げ用の小孔ｋを設けた天部額面板ｎを介して蓋面板１２を連接し、この上部には差込片Ｓを設けたものである。また前記蓋面板１２の左右にフラツプ状の側面板１５，１５を連設し、またこの側面板端部中央近傍には差込片Ｓ1 ，Ｓ1 を設けたものである。さらに前記背面板１１の下方に底部額面板ｍを介して底面板１３を設け、この底面板１３には挿入口ｔ１を中央部に設けた第一折線ｈ１と間隔を開けて下方に挿入口ｔ２を有する第二折線ｈ２とを設けたものである。
【０００９】
図２は、本発明の一実施例を示す組み立て方法の説明図である。本発明の外装パッケージ兼用告知ボードは、組み立て方法を変えることにより形状、大きさの変更を可能としたものである。図２に示すように、先ず側面片１５，１５を折部ｄ，ｄから内側に折り込む。次に折込片１４，１４を側部額面板ｐ，ｐを折り立てるように折部ｇ，ｇ，ｅ，ｅから内側に折り曲げ、次いで底面板１３を底部額面板ｍを折り立てるように折部ｆと第一折線ｈ1 を内側に折り込み、上方から天部額面板ｎを折り立てるように折り曲げて蓋面板１２を被せ、蓋面板１２に設けた差込片Ｓを底面板１３に設けた挿入口ｔ１に差し込むことで図２（Ｃ）に示す回りを囲む同幅寸法の額面板ｎ，ｍ，ｐ，ｐにより直方体形状の外装パッケージ兼用告知ボード１０が得られる。
【００１０】
図３は、本発明の他の実施例における組み立て方法の説明図である。この場合は直方体形状の外装パッケージ兼用告知ボードと同様に組み立てるが、背面板１１下方に設けた折部ｆから底面板１３を折り立て、さらに底面板１３の下方に設けた第二折線ｈ２から内側に折り曲げる。そして蓋面板１２に設けた側面板１５，１５の差込片Ｓ1 ，Ｓ1 を、背面板１１に設けた挿入口ｔ，ｔに差し込み、蓋面板１２を覆うようにしてこの差込片Ｓを底面板の第二折線ｈ２に設けた挿入口ｔ２に差し込むことで、図３（Ｃ）に示す、底部を構成する面の幅が前記の直方体形状の外装パッケージ兼用告知ボードに比べ広くなったことと、略三角形状に広がった側面を備えた四角錐形状の外装パッケージ兼用告知ボード１０が得られる。
【００１１】
また図４は、本発明の他の実施例における外装パッケージ兼用告知ボードの平面図で表した組み立て方法の説明図である。すなわち、底部を構成する面の幅、側部を構成する面の大きさと形状を変更する手段により底面、及び側面を大きく広くすることができる外装パッケージ兼用告知ボードを提供するもので、図１に示す基本的な外装パッケージ兼用告知ボードを構成する一部面板を変えたものである。図４に示すように、挿入口ｔ，ｔを設けた背面板１１の左右に側部額面板ｐ，ｐを介して折込片１４，１４を連設し、この上部に吊り下げ用の小孔ｋを設けた天部額面板ｎを介して蓋面板１２を連接し、この上部に差込片Ｓを設けたものである。また前記蓋面板１２の左右には折部ｄ，ｄを介してフラツプ状の側面板１５ａ，１５ａを設けたもので、この両側面板１５ａの上方にそれぞれ折り込み線ｕ，ｕ，ｕ1 ，ｕ1 と、下方に向かって折罫線Ｅ1 ，Ｅ2 を形成し、この折罫線Ｅ1 ，Ｅ2 の中央部分に切り込みによる側面板の差込片Ｓ1 ，Ｓ2 と、この側面板の外側端部に差込片Ｓ3 , Ｓ3 を形成したものである。さらに前記背面板１１の下方に底部額面板ｍを介して底部を構成する面の幅を長く伸ばした底面板１３を設け、この底面板１３には挿入口ｔ１を中央部に設けた第一折線ｈ１とその下方に挿入口ｔ２を設けた第二折線ｈ２と、その下方に挿入口ｔ３を設けた第三折線ｈ３と、さらにその下方に挿入口ｔ４を設けた第四折線ｈ４の複数の折線と挿入口を連設したものである。
【００１２】
この組み立ては前述した直方体形状、四角錐形状の外装パッケージ兼用告知ボードの場合と同様であるが、底部面を可変にした例を説明すると、図４に示すように、先ず側面板１５ａ，１５ａを▲１▼の折罫線Ｅ1 ，Ｅ1 から内側に折り曲げ、側面板の差込片Ｓ1 ，Ｓ1 を突出させる。次に折部ｆから折り立てると同時に底面板１３に設けた▲１▼’の第二折線ｈ２を内側に折り曲げる。そして差込片Ｓ1 ，Ｓ1 を背面板１１に設けた挿入口ｔ，ｔに差し込み、蓋面板１２を覆うようにしてこの差込片Ｓを底面板の第二折線ｈ２に設けた挿入口ｔ２に差し込むことで、底部を構成する面の幅が広くなり、しかも略三角形状に広がった側面を備えた四角錐形状の外装パッケージ兼用告知ボードを得られる。
【００１３】
また同様に、折り込み線ｕ，ｕを内側に折り畳み、側面板１５ａ，１５ａを▲２▼の折罫線Ｅ2 ，Ｅ2 から内側に折り曲げ、側面板の差込片Ｓ2 ，Ｓ2 を突出させる。次に折部ｆから折り立てると同時に底面板１３に設けた▲２▼’の第三折線ｈ３を内側に折り曲げる。そして差込片Ｓ2 ，Ｓ2 を背面板１１に設けた挿入口ｔ，ｔに差し込み、蓋面板１２を覆うようにしてこの差込片Ｓを底面板の第三折線ｈ３に設けた挿入口ｔ３に差し込むことで、底部が大きく広がった四角錐形状の外装パッケージ兼用告知ボードを得られる。
【００１４】
さらに、前記同様に折り込み線ｕ1 ，ｕ1 を内側に折り畳み、▲３▼の側面板１５ａ，１５ａ全体を内側に折り立て、側面板の差込片Ｓ3 ，Ｓ3 を突出させる。次に折部ｆから折り立てると同時に底面板１３に設けた▲３▼’の第四折線ｈ４を内側に折り曲げる。そして差込片Ｓ3 ，Ｓ3 を背面板１１に設けた挿入口ｔ，ｔに差し込み、蓋面板１２を覆うようにして、この差込片Ｓを底面板の第四折線ｈ４に設けた挿入口ｔ４に差し込むことで底部及び側面も大きく広がった四角錐形状の外装パッケージ兼用告知ボードが得られる。
【００１５】
また、本発明の外装パッケージ兼用告知ボードは、図示はしないが、背面板、蓋面板、側面板の表裏あるいは一方の面に宣伝、広告、図柄等の印刷を施すか又は印刷物を貼着することによりパッケージを兼ねた告知ボードとしての効果が得られる。例えば、蓋面板、背面板の内面に印刷物を貼着した場合に、これを組み立てると外装パッケージとなり、かつ印刷物を保護する。このパッケージを展示する場合は、印刷物を貼着した面が外側になるように反転して組み立てると、印刷物の面が表側に現れ、広告等の告知ボードになる。なお、これに限定するものではなく、印刷や印刷物の貼着は表裏に施すことにより、広告、宣伝内容を反転して組み立てるだけで変更することが可能となる。
【００１６】
また、本発明の外装パッケージ兼用告知ボードは、底部の幅が広くなるので安定してテーブル上などに置いて掲示することもできると共に、天部額面板ｎに設けた小孔ｋ，ｋに吊り下げ用の紐等を通すことにより天井から吊り下げて掲示するディスプレイとすることもできる。
【００１７】
【発明の効果】
以上の構成であるから、下記に示す如き効果がある。
本発明の外装パッケージ兼用告知ボードは、組み立て時に直方体から四角錐まで形状の変更が可能であるので、その用途、使用場所に応じて最適の形状を適宜選択できる。
すなわち、直方体の場合は、宣伝物等の書類や小道具を収納するパッケージとして使用できる。特に、この時は印刷や印刷物がない面を表側にすると最適である。また、印刷面を表側にすることで吊り下げタイプの告知ボードとして使用できる。また、四角錐（特に底部を構成する面の幅が比較的狭い場合）に組み立てた場合は、設置スペースの小さい場所での告知ボードとして、また設置場所が高い位置（見上げて観ることとなる位置）の場合の告知ボードとして使用すると良い。さらに、四角錐（特に底部を構成する面の幅が比較的広い場合）に組み立てた場合は、設置スペースの広い場所での告知ボードとして、また設置場所が低い位置（見下ろして観ることとなる位置）の場合の告知ボードとして使用すると効果的である。
また、外装パッケージ兼用告知ボードの表裏両面に直接印刷又は印刷物を貼着することにより、一体の箱体で２種類の広告、宣伝等の告知が可能となる。さらに、構成材料は紙製により軽量で、かつ組み立てが簡単な構造になつているので搬送のスペースも少なくて済、設置用は勿論、吊り下げ用の告知ボード等の種々の効果を奏する。
【図面の簡単な説明】
【図１】本発明の一実施例を示す、外装パッケージ兼用告知ボードの平面図である。
【図２】本発明の一実施例を示す、外装パッケージ兼用告知ボードの組み立て方法の説明図である。
【図３】本発明の他の実施例を示す、外装パッケージ兼用告知ボードの組み立て方法の説明図である。
【図４】本発明の他の実施例を示す、外装パッケージ兼用告知ボードを平面図で表した組み立て方法の説明図である。
【符号の説明】
１０……外装パッケージ兼用告知ボード
１１……背面板
１２……蓋面板
１３……底面板
１４……折込片
１５……側面板
Ｓ……差込片
Ｅ1 ，Ｅ2 ……折罫線
Ｓ1,Ｓ2,Ｓ3 ……側面板の差込片
ｔ，ｔ１，ｔ２，ｔ３，ｔ４……挿入口
ｈ１……第一折線
ｈ２……第二折線
ｈ３……第三折線
ｈ４……第四折線
ｕ，ｕ1 ……折り込み線
ｎ  ……天部額面板
ｍ  ……底部額面板
ｐ  ……側部額面板
ｋ  ……吊り下げ用小孔
ｅ，ｄ，ｆ……折部
【図１】
0004639426.tif 000002
【図２】
0004639426.tif 000003
【図３】
0004639426.tif 000004
【図４】
0004639426.tif 000005